(57)【特許請求の範囲】
【請求項１】
建物の床面と鉛直な方向に所定の間隔を空けて敷設される複数のフロアパネルと、建物の床面に設けられてフロアパネルを支持する複数の支持部材と、建物の床面及びフロアパネルの間の空間に配設されて一乃至複数の配線器具が着脱自在に装着される開口部を有する配線ダクトとから成るフロアシステムであって、少なくとも一部のフロアパネルと隣り合うフロアパネルとの間に所定長さの隙間を空けるとともに、該隙間に臨む前記空間に配線ダクトを配設し、該隙間を着脱自在に覆うカバーを設け、配線ダクトは、建物の床面に設けられる取付台に固定され、取付台は、建物の床面と鉛直な方向の高さを調整可能であり、カバーと対向する面以外の面に開口部が設けられたことを特徴とするフロアシステム。
【請求項２】
前記配線器具はコンセントユニットであって、コンセントユニットには、配線ダクトに固定される状態と固定されない状態とを切替可能な操作部が設けられ、操作部は、コンセントユニットの一面に設けられた軸部を中心に回動自在であることを特徴とする請求項１記載のフロアシステム。
【請求項３】
前記配線ダクトは、複数の長尺のダクト素体から成り、各ダクト素体を互いに連結して成ることを特徴とする請求項１又は２記載のフロアシステム。
【請求項４】
前記フロアパネル及びカバーには床仕上げ材が覆設されるとともに、床仕上げ材は、フロアパネルに覆設されるものとカバーに覆設されるものとで識別可能な互いに異なる仕様としたことを特徴とする請求項１乃至３の何れか１項に記載のフロアシステム。
【請求項５】
前記コンセントユニットは、ローカルエリアネットワークの通信機器を接続するためのＬＡＮ接続ポートと、給電部材を介して接続される導体を通して電力線搬送通信によりデータを送受信するとともに、送受信されたデータをプロトコル変換することでＬＡＮ接続ポートに入出力する電力線搬送通信部とを備えたことを特徴とする請求項１乃至４の何れか１項に記載のフロアシステム。
【請求項６】
前記配線ダクト間を互いに連結するとともに配線ダクトを分岐接続する接続部材を設けたことを特徴とする請求項１乃至５の何れか１項に記載のフロアシステム。
【請求項７】
前記コンセントユニットには、外部から引き回される電源プラグの栓刃が挿抜可能な栓刃挿入孔を有する一乃至複数の電源用コンセントが設けられ、電源用コンセントは、栓刃挿入孔がカバーと対向し且つカバーに対して傾斜するように配設されることを特徴とする請求項１乃至６の何れか１項に記載のフロアシステム。
【発明の詳細な説明】
【技術分野】
【０００１】
本発明は、二重床構造のフロアシステムに関する。
【背景技術】
【０００２】
従来から、オフィス等で用いられて、建物の床面から鉛直方向に所定の間隔を空けてフロアパネルを覆設するとともに、建物の床面とフロアパネルとの間の空間を利用して配線を行う二重床構造のフロアシステムが知られており、例えば特許文献１に開示されている。この従来例は、建物の床面とフロアパネルとの間の空間において、幹線に接続されて幹線を分岐する分岐コネクタを備えたジョイントボックスと、支線の一端に接続されるとともに分岐コネクタに着脱自在に結合され幹線に支線を電気的に接続するプラグと、支線の他端に設けた配線器具とから構成され、建築時に幹線を敷設するとともに幹線にジョイントボックスを接続しておき、オフィスのレイアウトが決定した後にタップやフロアコンセント等の配線器具を接続した支線をジョイントボックスに接続することで、配線を容易に変更することができるようにしている。
【特許文献１】特許第３４６８０７１号公報
【発明の開示】
【発明が解決しようとする課題】
【０００３】
しかしながら、上記従来例では、オフィスのレイアウトの変更に伴って配線を変更する場合にはフロアパネルを取り外さなければならず、作業が煩雑になるという問題があった。また、取り外したフロアパネルを再び取り付ける際にフロアパネルを正確に配設できず、フロアにがたつきが生じる虞があった。
【０００４】
本発明は、上記の点に鑑みて為されたもので、フロアパネルを取り外すことなく配線の変更を容易に行うことのできるフロアシステムを提供することを目的とする。
【課題を解決するための手段】
【０００５】
請求項１の発明は、上記目的を達成するために、建物の床面と鉛直な方向に所定の間隔を空けて敷設される複数のフロアパネルと、建物の床面に設けられてフロアパネルを支持する複数の支持部材と、建物の床面及びフロアパネルの間の空間に配設されて一乃至複数の配線器具が着脱自在に装着される開口部を有する配線ダクトとから成るフロアシステムであって、少なくとも一部のフロアパネルと隣り合うフロアパネルとの間に所定長さの隙間を空けるとともに、該隙間に臨む前記空間に配線ダクトを配設し、該隙間を着脱自在に覆うカバーを設け、配線ダクトは、建物の床面に設けられる取付台に固定され、取付台は、建物の床面と鉛直な方向の高さを調整可能であり、カバーと対向する面以外の面に開口部が設けられたことを特徴とする。
【０００６】
請求項２の発明は、請求項１の発明において、配線器具はコンセントユニットであって、コンセントユニットには、配線ダクトに固定される状態と固定されない状態とを切替可能な操作部が設けられ、操作部は、コンセントユニットの一面に設けられた軸部を中心に回動自在であることを特徴とする。
【０００９】
請求項３の発明は、請求項１又は２の発明において、複数の長尺のダクト素体から成り、各ダクト素体を互いに連結して成ることを特徴とする。
【００１０】
請求項４の発明は、請求項１乃至３の何れか１項の発明において、フロアパネル及びカバーには床仕上げ材が覆設されるとともに、床仕上げ材は、フロアパネルに覆設されるものとカバーに覆設されるものとで識別可能な互いに異なる仕様としたことを特徴とする。
【００１１】
請求項５の発明は、請求項１乃至４の何れか１項の発明において、コンセントユニットは、ローカルエリアネットワークの通信機器を接続するためのＬＡＮ接続ポートと、給電部材を介して接続される導体を通して電力線搬送通信によりデータを送受信するとともに、送受信されたデータをプロトコル変換することでＬＡＮ接続ポートに入出力する電力線搬送通信部とを備えたことを特徴とする。
【００１２】
請求項６の発明は、請求項１乃至５の何れか１項の発明において、配線ダクト間を互いに連結するとともに配線ダクトを分岐接続する接続部材を設けたことを特徴とする。
【００１３】
請求項７の発明は、請求項１乃至６の何れか１項の発明において、コンセントユニットには、外部から引き回される電源プラグの栓刃が挿抜可能な栓刃挿入孔を有する一乃至複数の電源用コンセントが設けられ、電源用コンセントは、栓刃挿入孔がカバーと対向し且つカバーに対して傾斜するように配設されることを特徴とする。
【発明の効果】
【００１４】
請求項１の発明によれば、少なくとも一部のフロアパネルと隣り合うフロアパネルとの間に所定長さの隙間を空けるとともに、該隙間に臨む建物の床面とフロアパネルとの間の空間に配線ダクトを配設し、該隙間を着脱自在に覆うカバーを設けたので、カバーのみを取り外すだけでコンセントユニットの配置変更を行うことができ、したがってフロアパネルを取り外すことなく配線の変更を容易に行うことができる。また、カバーのみを取り外すだけで配線の変更を行えるので、フロアパネルを動かす必要が無く、したがって配線の変更後にフロアががたつくのを防止することができる。更に、カバーを取り外した状態において埃等が建物の床面とフロアパネルとの間の空間に侵入しても、埃等の侵入方向に開口部を設けないことで配線ダクト内に埃等が溜るのを防ぐことができる。更に、配線ダクトを取り付けた状態で取付台の建物の床面と鉛直な方向の高さを調整することで、配線ダクトを配線作業が行い易い配置にすることができる。
【００１５】
請求項２の発明によれば、コンセントユニットに、配線ダクトに固定される状態と固定されない状態とを切替可能な操作部を設けるとともに、操作部は、コンセントユニットの一面に設けられた軸部を中心に回動自在であるので、カバーを取り外した状態で、操作部を回動させるだけでコンセントユニットを配線ダクトに取り付ける作業、及びコンセントユニットを配線ダクトから取り外す作業の何れも容易に行うことができる。
【００１８】
請求項３の発明によれば、複数のダクト素体を互いに連結することで、配線ダクト全体の長尺寸法を適宜調整することができる。
【００１９】
請求項４の発明によれば、フロアパネルに覆設される床仕上げ材とカバーに覆設される床仕上げ材とを互いに異なる仕様としたので、カバー及び配線ダクトが何処に配置されているかを容易に識別することができる。
【００２０】
請求項５の発明によれば、コンセントユニットにおいて、プロトコル変換部が電力線搬送通信部とＬＡＮ接続ポートとの間でプロトコル変換を行うので、電力線搬送通信の機能を有さないローカルエリアネットワークの通信機器をＬＡＮ接続ポートに接続すれば、専用のＬＡＮ配線を施工せずに電力線搬送通信を行うことができる。
【００２１】
請求項６の発明によれば、配線ダクトの分岐を容易に行うことができる。
【００２２】
請求項７の発明によれば、電源用コンセントを栓刃挿入孔がカバーと対向し且つカバーに対して傾斜するように配設したので、カバーを取り外した状態で電源プラグの挿抜を容易に行うことができるとともに、水等が栓刃挿入孔からコンセントユニットの内部に浸入するのを防ぐことができる。
【発明を実施するための最良の形態】
【００２３】
以下、本発明に係るフロアシステムの実施形態について図面を用いて説明する。但し、以下の説明では、図１における上下を上下方向、配線ダクト４の長手方向を縦方向、配線ダクト４の短手方向を横方向と定めるものとする。
【００２４】
本実施形態は、図１に示すように、建物の床面Ａと鉛直方向に所定の間隔を空けて配設される複数（図示では４枚）の略矩形状のフロアパネル１と、建物の床面Ａに設けられてフロアパネル１を支持する複数（図示では１２個）の支持部材２と、建物の床面Ａ及びフロアパネル１の間の空間に配設されてコンセントユニット３が着脱自在に装着される開口部４ａを有する配線ダクト４とから成る。
【００２５】
フロアパネル１は、図１に示すように、例えば鋼板等から所定の厚み寸法で略平板状に形成されており、その上面の外周縁は、全周に亘って他の部位よりも薄肉に形成されている。而して、フロアパネル１を後述する支持部材２のパネル載置部２４に載置した時に、該薄肉部が支持部材２の突部２３ｂの上面を覆うとともに、隣り合うフロアパネル１の端部同士が接触するため、フロアパネル１を隙間無く配設することができる。
【００２６】
支持部材２は、図３に示すように、建物の床面Ａに載置されるベース部２０と、ベース部２０の略中央部から上方に向かって突出する略円筒状の脚部２１と、脚部２１の内周面に形成された雌ネジ部（図示せず）と螺合する雄ネジ部（図示せず）を有し、当該脚部２１に挿入されてその高さ位置を調整自在とする略円筒状の支持ボルト２２と、支持ボルト２２の上端に取り付けられたパネル受け部材２３とから成る。パネル受け部材２３は、フロアパネル１が載置される略矩形状の本体部２３ａと、本体部２３ａから上方へ突出する断面略十字形状の突部２３ｂとから形成されている。本体部２３ａは、突部２３ｂによって４つのパネル載置部２４に区分けされており、各パネル載置部２４にフロアパネル１の角部が載置されるようになっている。
【００２７】
配線ダクト４は、図１に示すように、アルミニウム等の金属により両端が開口した扁平な略角筒状に形成され、表面が絶縁性の合成樹脂でコーティングされたダクト本体４０から成る。ダクト本体４０の上下方向における略中央部には、図４（ｃ）に示すように、内部の電源スペース４１と外部とを連通する開口部４ａが長手方向に沿って設けられている。また、電源スペース４１には、開口部４ａを挟んだ上下両側に、商用電源（図示せず）の電圧極から給電するための長尺の導体４２がそれぞれ長手方向に沿って配設されるとともに、商用電源の接地極と接続するための長尺の接地導体４３が、開口部４ａの設けられた壁部４ｂと対向する対向壁部４ｃの内側に長手方向に沿って配設されている。尚、ダクト本体４０の長手方向一端部には、建物内に先行配線された電力線に導体４２を接続して商用電源を供給するためのフィードインキャップ（図示せず）が取り付けられるとともに、ダクト本体４０の長手方向他端部には、ダクト本体４０の端部を閉塞するエンドキャップ（図示せず）が取り付けられる。
【００２８】
コンセントユニット３は、図１に示すように、長尺の略箱体に形成され、配線ダクト４に装着される側の面（以下、「装着面」と呼ぶ）には、開口部４ａを通してダクト本体４０の内部に収納される略直方体状の一対の突出部３０が一体に形成されている。コンセントユニット３の長手方向両端部には、各端部から上方に向かうにつれて互いに近づく方向に傾斜する傾斜面が設けられており、各傾斜面には、接地極を有する３極プラグＰの電圧極の一対の栓刃（図示せず）及び接地極の栓刃（図示せず）が挿入される栓刃挿入孔３１ａを有する電源用コンセント３１と、ローカルエリアネットワークの通信機器を接続するためのＲＪ−４５のモジュラジャックから成るＬＡＮ接続ポート３２とがそれぞれ設けられている。上記のような傾斜面に電源コンセント３１及びＬＡＮ接続ポート３２を設けることで、上方から電源プラグＰ等を容易に挿抜できるとともに、水等が栓刃挿入孔３１ａからコンセントユニット３の内部に浸入するのを防ぐことができる。尚、図１、図３、図４、図６では、電源用コンセント３１のみを図示し、ＬＡＮ接続ポート３２の図示は省略しているが、ＬＡＮ接続ポート３２は、前記傾斜面のうち電源用コンセント３１が設けられた側と反対側の傾斜面に設けられる他、コンセントユニット３の何れの面に設けられても構わない。
【００２９】
コンセントユニット３の装着面において一対の突出部３０に挟まれる位置には、図４（ａ）に示すように、開口部４ａを通してダクト本体４０の内部に挿入される略角筒状の回転体３３が回転自在に設けられており、該回転体３３を回転させるための操作部であるレバー３４が、コンセントユニット３の装着面と対向する面に配設された軸部（図示せず）を中心として回動自在に配設されている。回転体３３の周面には、回転体３３の中心部を挟んで対称な位置に一対の接続片３３ａが突設されており、レバー３４の操作に応じて一対の接続片３３ａがダクト本体４０の長手方向と略平行な方向に並ぶ状態（図４（ａ）参照）と、一対の接続片３３ａがダクト本体４０の短手方向と略平行な方向に並ぶ状態（図４（ｂ）参照）とを切り替えることができるようになっている。
【００３０】
また、回転体３３の周面には、接続片３３ａよりも装着面に近い位置に一対の係止片３３ｂが突設されている。而して、突出部３０及び回転体３３を開口部４ａに挿入した状態で、レバー３４を操作して一対の接続片３３ａがダクト本体４０の短手方向と略平行な方向に並ぶ状態となるように切り替えると、一対の係止片３３ｂと装着面との間で壁部４ｂが挟持されて、コンセントユニット３がダクト本体４０に取付固定されるとともに、各接続片３３ａがダクト本体４０内部に配設された導体４２に電気的に接続されるようになっている（図４（ｃ）参照）。尚、回転体３３の端部には、突出部３０及び回転体３３を開口部４ａに挿入した状態で接地導体４３と電気的に接続される接続突部３３ｃが設けられている。
【００３１】
コンセントユニット３の内部には、図５に示すように、一対の接続片３３ａを具備し配線ダクト４から商用電源を給電するための給電コネクタ３５と、各一対の刃受けばね（図示せず）を有し、給電コネクタ３５を介して供給される商用電源を負荷に供給するための電源用コンセント３１と、ＬＡＮ接続ポート３２と、給電コネクタ３５を介して接続される導体４２を通して電力線搬送通信（Power Line Communication）によりデータを送受信するとともに、送受信されたデータをプロトコル変換することでＬＡＮ接続ポート３２に入出力する電力線搬送通信部３６とから構成される回路が収納されている。また、電源用コンセント３１に外部の電気機器（図示せず）から引き回される３極プラグＰが接続されると、電源に重畳された信号がインピーダンスの低い電気機器側に吸い込まれてしまうので、給電コネクタ３５と電源用コンセント３１との間の電路に、電力線搬送通信に用いる所定の周波数帯域に対してインピーダンスが高く、商用電源周波数に対してはインピーダンスが低いインピーダンスアッパ３７を設けている。
【００３２】
而して、図６に示すように、例えばテーブルタップ６から引き回される電源コード６０の先端に設けられた３極プラグＰをコンセントユニット３の電源用コンセント３１に差し込む事で、テーブルタップ６に商用電源を給電することができる。また、例えばパーソナルコンピュータ等の通信機器（図示せず）から引き回されるＬＡＮ用ケーブル（図示せず）の先端に設けられたＲＪ−４５のモジュラプラグ（図示せず）をコンセントユニット３のＬＡＮ接続ポート３２に接続することで、電力線搬送通信を利用することができる。
【００３３】
尚、本実施形態ではコンセントユニット３に電力線搬送通信部３６を設けているが、この構成をコンセントユニット３に設けずに、電力線搬送通信用の回路を内蔵するとともにＬＡＮ接続ポート３２を備えたテーブルタップ（図示せず）を用いることで上記構成の代用としても構わない。
【００３４】
また、本実施形態では、長尺のダクト本体４０のみから配線ダクト４が構成されているが、図８（ａ）に示すように、複数の長尺のダクト素体４０ａと、各ダクト素体４０ａ間を互いに連結する接続部材８とから配線ダクト４を構成しても構わない。尚、ダクト素体４０ａは、ダクト本体４０の長手方向の長さ寸法を短くしたものであって、その基本的構成はダクト本体４０と同一である。例えば、略Ｌ字状の接続部材８ａ、略Ｔ字状の接続部材８ｂ、略十字状の接続部材８ｃを複数個ずつ用いることで、図８（ａ）に示すように配線ダクト４を分岐接続することができる。したがって、配線ダクト４のレイアウトを適宜変更することで建物の床面Ａとフロアパネル１との間の空間を有効活用することができる。尚、上述のように配線ダクト４をダクト素体４０ａ及び接続部材８を用いて分岐接続する技術は従来周知であるので、ここでは詳細な説明は省略する。
【００３５】
もちろん、図８（ｂ）に示すように、ダクト素体４０ａ間を直線状の接続部材８ｄで互いに連結することで、本実施形態と同様に直線状の配線ダクト４を構成するようにしても構わない。この場合、配線ダクト４の長手方向の長さ寸法を適宜調整することができる。
【００３６】
以下、本実施形態の要旨について説明する。本実施形態では、図２に示すように、横方向の略中央において、隣り合うフロアパネル１の間に所定長さの幅寸法を有する隙間１０が縦方向に沿って設けられ、該隙間１０に臨む建物の床面Ａとフロアパネル１との間の空間には、配線ダクト４が配設されるとともに、該隙間１０を覆う複数（図示では６つ）のカバー５が取り付けられている。
【００３７】
隙間１０では、図１に示すように、隣り合うフロアパネル１を支持する一対の支持部材２を１組とした複数組（図示では３組）の支持部材２が縦方向に沿って所定の間隔を空けて設けられるとともに、各組のベース部２０同士を底板部２５で互いに連結している。各底板部２５には、図３に示すように、上方に向かって突出した断面略コ字状の取付台２６がそれぞれ取り付けられており、各取付台２６の上面に配線ダクト４が図示しない取付手段によって取付固定される。ここで、本実施形態では、開口部４ａが横方向を向くように配線ダクト４を配設することで、カバー５を取り外した状態において埃等が建物の床面Ａとフロアパネル１との間の空間に侵入しても、配線ダクト４内に埃等が溜るのを防ぐようにしている。尚、取付台２６を複数個重ねて配設することで、配線ダクト４の上下方向における取付位置を調節することができ、配線ダクト４を配線作業が行い易い配置にすることができる。
【００３８】
カバー５は、例えば鋼板から長尺平板状に形成され、その横方向の長さ寸法が前記隙間１０の横方向の長さ寸法と略同一に設定されている。隙間１０に配設された支持部材２の突部２３ｂには、図７（ａ）に示すように、カバー５を取り付けるための断面略コ字状の長尺のカバー取付部材７が縦方向に亘って複数（図示では４つ）配設される。各カバー取付部材７の上面にはパッド７ａが貼着されており、図７（ｂ）に示すように、パッド７ａの上面にカバー５の長手方向に沿った周縁部を載置することでカバー５が隙間１０を覆うように取り付けられる。
【００３９】
ここで、フロアパネル１とカバー５との間に防水パッキン（図示せず）を設けることで、建物の床面Ａとフロアパネル１との間の空間に水や埃等が侵入するのを防ぐことができる。尚、図２に示すように、コンセントユニット３に接続されたテーブルタップ６をフロアパネル１の上側の空間に引き回すために隣り合うカバー５の間に隙間を設ける必要があるが、この隙間を覆うように別途小型のカバー（図示せず）を設けることで、カバー５の防水及び防塵機能を補完することができる。
【００４０】
上述のように、隣り合うフロアパネル１の間に所定長さの幅寸法を有する隙間１０を空けるとともに、配線ダクト４を該隙間１０に配設し、該隙間１０を覆うようにカバー５を着脱自在に取り付けたので、カバー５のみを取り外した状態で配線ダクト４に取り付けられたコンセントユニット３の配置変更を行うことができ、したがってフロアパネル１を取り外すことなく配線の変更を容易に行うことができる。また、カバー５のみを取り外すだけで配線の変更を行えるので、フロアパネル１を動かす必要が無く、したがって配線の変更後にフロアパネル１が浮き上がる等してフロアががたつくのを防止することができる。
【００４１】
また、コンセントユニット３のレバー３４を操作するだけで配線ダクト４に対してコンセントユニット３を容易に着脱可能であるとともに、開口部４ａにコンセントユニット３の突出部３０及び回転体３３を挿入した状態でコンセントユニット３を配線ダクト４の長手方向に沿って自在にスライドさせることができるので、配線の変更を容易に行うことができる。
【００４２】
尚、フロアパネル１及びカバー５の敷設後には、フロア全体の外観を整えるために例えばカーペット等の床仕上げ材（図示せず）を覆設するが、該床仕上げ材をフロアパネル１の上面に覆設するものと、カバー５の上面に覆設するものとで識別可能な互いに異なる仕様（例えば、色、濃淡、模様等）にするのが望ましい。このように構成すれば、カバー５及び配線ダクト４が何処に配置されているかを容易に識別することができる。また、パーティション（図示せず）をフロア内に配設する際に、フロアパネル１とカバー５とを識別できることからフロアパネル１上にパーティションを固定することができ、取り外しが想定されるカバー５上に誤ってパーティションを固定するのを防ぐことができる。
【図面の簡単な説明】
【００４３】
【図１】本発明のフロアシステムの実施形態を示す分解斜視図である。
【図２】同上のテーブルタップを省略した全体斜視図である。
【図３】同上の配線ダクトの長手方向における一端部側から見た一部拡大図である。
【図４】同上のコンセントユニットの操作部の説明図で、（ａ）はコンセントユニット非固定時の回転体の平面図で、（ｂ）はコンセントユニット固定時の回転体の平面図で、（ｃ）はコンセントユニット固定時の配線ダクトの側面図である。
【図５】同上のコンセントユニットの内部回路を示すブロック図である。
【図６】同上のコンセントユニットにテーブルタップを接続した場合を示す一部省略した全体斜視図である。
【図７】同上の要旨の説明図で、（ａ）はカバーを外した状態の一部省略した斜視図で、（ｂ）は一部のカバーを取り付けた状態の一部省略した斜視図である。
【図８】同上の配線ダクトの分岐接続を示す説明図で、（ａ）は分岐接続の一例を示す配線ダクトの斜視図で、（ｂ）は他の分岐接続の一例を示す配線ダクトの斜視図である。
【符号の説明】
【００４４】
１  フロアパネル
１０  隙間
２  支持部材
３  コンセントユニット
４  配線ダクト
４０  ダクト本体
４ａ  開口部
５  カバー
Ａ  建物の床面
【図１】
0005265894.tif 000002
【図２】
0005265894.tif 000003
【図３】
0005265894.tif 000004
【図４】
0005265894.tif 000005
【図５】
0005265894.tif 000006
【図６】
0005265894.tif 000007
【図７】
0005265894.tif 000008
【図８】
0005265894.tif 000009